(57)【要約】 【課題】赤外線リモコンを操作することによって点灯、消灯などの制御が可能である照明器具において、光源からの光ノイズの影響を排除して、複数方向からの赤外線信号到達性能を確保する照明器具を提供する。【解決手段】蛍光ランプ１０２と、赤外線リモコンから送信された赤外線信号を受信する受光素子１０４と、赤外線リモコンから送信された赤外線信号を複数方向に向けて形成された複数の開口部２０１から受光素子１０４まで伝達する反射伝達経路を形成する中空構造の赤外線反射伝達材１０５と、受光素子１０４で受信した赤外線信号に応じて蛍光ランプ１０２の点灯制御を行う点灯装置１０８とを備え、受光素子１０４および開口部２０１を蛍光ランプ１０２が放射する光が入射しない位置に配置している。【選択図】図１
2010165562.tif 000002
【特許請求の範囲】
【請求項１】
光源と、赤外線リモコンから送信された赤外線信号を受信する受光素子と、赤外線リモコンから送信された赤外線信号を複数方向に向けて形成された複数の入射部から受光素子まで伝達する反射伝達経路を形成する中空構造の赤外線伝達手段と、受光素子で受信した赤外線信号に応じて光源の点灯制御を行う点灯装置とを備え、受光素子および入射部を光源が放射する光が入射しない位置に配置することを特徴とする照明器具。
【請求項２】
一面に前記光源と当該光源を覆うグローブを配置した光不透過性の材質でできた器具本体の他面側に前記受光素子と前記赤外線伝達手段を配置することを特徴とする請求項１記載の照明器具。
【発明の詳細な説明】
【技術分野】
【０００１】
本発明は、赤外線リモコンから送信される赤外線信号によって、点灯制御される照明器具に関するものである。
【背景技術】
【０００２】
赤外線信号によって制御が可能な照明器具において、その赤外線信号の到達性能に関しては、従来から様々な工夫がなされている。特に照明器具のデザイン性を考慮して照明器具内部に赤外線信号の受信手段を内蔵する場合には光源からの光ノイズの入射が回避し難く、これによる赤外線信号の到達性能の低下が課題となることが多い。
【０００３】
こうした課題に対して、赤外線信号を受信する受信部の位置や配置角度などを工夫することで対策をした例として、特許文献１により開示されている従来例を示す。
【０００４】
図３は本従来例の照明器具の概略的な断面図である。
【０００５】
本従来例の照明器具の構成は、照明器具本体３０１と、赤外線信号受信部３０２と、それぞれ出力および外形が異なる環状型蛍光ランプ３０７ａ、３０７ｂ、３０７ｃと、環状型蛍光ランプを器具本体に固定するランプ支持具３０３と、器具本体内部から前記環状型蛍光ランプにそれぞれ口金３０８ａ、３０８ｂ、３０８ｃを介して点灯出力を供給するソケット３０４と、照明器具本体３０１に取り付けられ器具下面全体を覆う光透過性の照明器具グローブ３０５からなる。
【０００６】
図３では、それぞれ径の異なる３灯の環状型蛍光ランプ３０７ａ、３０７ｂ、３０７ｃが、照明器具本体３０１上に設置されており、照明器具本体３０１の中心Ｏと、環状型蛍光ランプ３０７ａ、３０７ｂ、３０７ｃの口金３０８ａ、３０８ｂ、３０８ｃの中心とを結ぶ線の延長線Ｍ上において、環状型蛍光ランプ３０１ａの外側に赤外線信号受信部３０２の受信窓３０２′の中心ｎを配置するようにして、赤外線信号受信部３０２を設置している。
【０００７】
このように構成することで本従来例の照明器具は、環状型蛍光ランプ３０７ａ、３０７ｂ、３０７ｃの多灯点灯による光ノイズの比較的少ない位置に赤外線信号受信部３０２が配置され、その赤外線信号受信部３０２の受信窓３０２′が赤外線リモコン（図示無し）からの赤外線信号を受信することにより、リモコン制御機能の向上を図っている。
【０００８】
また、多灯の環状型蛍光ランプ３０７ａ、３０７ｂ、３０７ｃの口金３０８ａ、３０８ｂ、３０８ｃの中心を結ぶ線の延長線Ｍ（多灯の環状型蛍光ランプ３０７ａ、３０７ｂ、３０７ｃのランプの外面における接線の延長線Ｎ）と直行する方向線Ｎ′上において、赤外線信号受信部３０２に遮蔽壁Ｋを設けてその遮蔽壁Ｋにより環状型蛍光ランプ３０７ａ、３０７ｂ、３０７ｃの多灯点灯時の照明グローブ３０５内面から反射光による光ノイズを遮蔽することで赤外線信号の受信感度を向上させている。さらに、照明器具グローブ３０５に赤外線信号受信部３０２の陰影が写ることを防止している。
【０００９】
このように、本従来例では、環状型蛍光ランプ３０７ａ、３０７ｂ、３０７ｃの多灯点灯による光ノイズの少ない位置に赤外線信号受信部３０２を配置し、さらに、赤外線信号受信部３０２に設けた遮蔽壁Ｋにより、照明器具グローブ３０５の内面からの反射光が誤った制御信号として赤外線信号受信部３０２の受光窓３０２′に入ってくることを防止し、蛍光ランプの低温始動時等における光ノイズに起因した誤動作を防止して赤外線信号の受信感度を向上させ、さらには、照明器具グローブ３０５に赤外線信号受信部３０２の陰影が写ることも防止している。
【００１０】
この他にも、受信手段の配置を工夫することで対策をした例としては特許文献２に開示されているような吊り上げ器具がある。図４は本従来例の照明器具の部分断面図である。
【００１１】
本従来例の照明器具の構成は、照明器具本体４０１、赤外線リモコン４０６からの赤外線信号を受信する受信部４０２、光不透過性材料からなるセード４０３、光透過性材料からなるグローブ４０４、蛍光ランプ４０５からなり、４０７は天井である。
【００１２】
照明器具本体４０１の下面部には蛍光ランプ４０５が取り付けられ、上面部に受信部４０２が配置されている。照明器具本体４０１にはセード４０３が載置され、セード４０３にはグローブ４０４が取り付けられている。図４中の位置において赤外線リモコン４０６を操作すると、赤外線リモコン４０６から赤外線信号が出射される。この赤外線信号が、天井４０７で反射されて受信部４０２に入り、蛍光ランプ４０５の点灯、消灯等の動作を行うようになっている。セード４０３を光不透過性材料で構成しているため、ランプ点灯時にも蛍光ランプ４０５の光が受信部４０２へと入射されることはなく、光ノイズの影響を低減して誤動作や不動作を防止している。
【００１３】
このように、この従来例では光源からの直接光が入射されない照明器具本体４０１上面に赤外線信号の受信部４０２を配置し、赤外線信号に関しては天井での反射を利用して受信することにより、赤外線信号の到達性能向上を図っている。
【００１４】
前述した２つの従来例のように受信手段の配置に関する工夫以外にも、特許文献３に開示されているように、赤外線信号の入射角を制限し、光学フィルターを介して受信することで光源からの光ノイズによる影響を低減して赤外線信号の到達性能を確保しているものも知られている。
【００１５】
図５は本従来例の受信部部分の断面図である。
【００１６】
この受信部は先に図３で示した従来例のように、蛍光ランプからの光ノイズの入射が避けられない位置に配置されるものであり、赤外線信号Ｉｒを受信する受光素子５０１と、光学フィルター５０２と、受光素子５０１を収めた受光モジュールの外郭５０３と、受光モジュール５０３を実装したプリント基板５０４と、受信部全体を覆う樹脂ケース５０５からなる。
【００１７】
受光素子５０１の前面に設置された光学フィルター５０２は入射角θ＝０°における透過ピーク波長λが約９６５ｎｍであるバンドパス特性を持ち、受光素子５０１は、ＰＩＮフォトダイオードからなるチップ５０６を透明樹脂からなるレンズ５０７でモールド形成して構成されている。
【００１８】
このように、光学フィルターによるノイズ遮断効果を十分に生かすため、受光素子５０１の指向特性をチップ５０６の位置をレンズ５０７に対して後退させるなどして改善し、その半値角を約３５°以内にしている。これにより、光ノイズの遮断率が向上し、蛍光ランプの低温点灯初期時における赤外線信号到達性能向上を図っている。
【先行技術文献】
【特許文献】
【００１９】
【特許文献１】特開平９−１６１５２３号公報
【特許文献２】実開平５−９０７３５号公報
【特許文献３】特開２００２−１７５７２０号公報
【発明の概要】
【発明が解決しようとする課題】
【００２０】
従来例として図３に示した特許文献１の照明器具によると、赤外線信号は光透過性の照明器具グローブを貫通して受信部へ到達させる必要があるため、照明器具グローブには赤外線信号を通しやすい性質であることが要求され、透過率を下げて雰囲気を演出するものや模様を印刷することにより高級感を出す照明器具グローブ等には制約がかかることになる。
【００２１】
また、蛍光ランプの発光による直接光の受信部への入射を回避する内容においても、照明器具グローブの内側の面による反射光が受信部へ入射されることは避けがたく、この反射光が赤外線信号受信部には光ノイズとして影響してしまい、Ｓ／Ｎ比が下がってしまうことになるため照明器具グローブには前述の赤外線の透過性に加え、形状や反射率に制限を受ける。
【００２２】
また、図３の例のように器具本体の外周に近い部分に傾けて赤外線信号受信部を配置した場合、全方向からの赤外線信号到達性能を確保するためには赤外線信号自体も照明器具グローブの内側の面による反射光で赤外線信号受信部へ入射され、この赤外線信号により制御が可能であることが必要になるため、形状や反射率に前記の制限と逆方向の制約を受けることになる。
【００２３】
また、従来例のようにそれぞれ定格出力および外径の異なる環状の蛍光ランプを同心円状に配置して口金の向きを揃え、その付近に赤外線信号受信部を配置した場合、つまり照明器具グローブの内部において明るさの低い部分に受信部を配置した場合、その部分の陰影が照明器具グローブの外側から見えてしまい、ランプイメージが低下するおそれがある。また、環状の蛍光ランプの外側に赤外線信号受信部を配置することにより、器具本体および照明器具グローブを蛍光ランプに対して過度に大きく設計する必要もあり、このことによっても照明器具グローブにおいて蛍光ランプ直近の部分とその外周部分との輝度比によるランプイメージが低下するおそれがある。
【００２４】
こうした問題に対しては図６に分解斜視図を示す照明器具のように、照明器具本体６０１に取り付けられた環状の蛍光ランプ６０２の内径内に赤外線信号受信部６０３を配置することが有効である（図６中６０４は、光透過性の照明器具グローブ）。
【００２５】
しかし、この方法は例えば図７に示すような平面らせん形状の蛍光ランプ１０２を負荷とした場合には適用できず、問題は解消できない。
【００２６】
従来例として図４に示した特許文献２の構成においては、天井４０７での反射率により赤外線信号が弱まり、天井表面の材質等によっては到達性能が低下する課題が存在し、さらに器具の直下の位置において赤外線リモコン４０６を操作した場合、赤外線リモコン４０６から出射された赤外線信号は光不透過性材料からなるセード４０３に蛍光ランプの発光とともに遮られて受信部４０２には到達しないため、蛍光ランプ４０５の動作を行うことができない。
【００２７】
また、赤外線リモコン４０６からの赤外線信号を部屋の壁に向けて出射させ、壁で反射させてから天井４０７で再度反射させて受信部４０２へ到達させる経路も考えられるが、その場合には赤外線リモコン４０６の方向づけが困難であるだけでなく、赤外線信号が弱まり、実使用上、蛍光ランプ４０５を動作させるのは困難となる。
【００２８】
従来例として図５に示した特許文献３の受信部においては、光学フィルターの効果により光ノイズの遮断性能は向上するものの、その指向角度が限定されることにより、赤外線リモコン（図示無し）の位置により赤外線信号の到達性能が悪化することが考えられる。
【００２９】
本発明は、上記事由に鑑みてなされたものであり、その目的は、赤外線リモコンを操作することによって点灯、消灯などの制御が可能である照明器具において、光源からの光ノイズの影響を排除して、複数方向からの赤外線信号到達性能を確保する照明器具を提供することにある。
【課題を解決するための手段】
【００３０】
請求項１の発明は、光源と、赤外線リモコンから送信された赤外線信号を受信する受光素子と、赤外線リモコンから送信された赤外線信号を複数方向に向けて形成された複数の入射部から受光素子まで伝達する反射伝達経路を形成する中空構造の赤外線伝達手段と、受光素子で受信した赤外線信号に応じて光源の点灯制御を行う点灯装置とを備え、受光素子および入射部を光源が放射する光が入射しない位置に配置することを特徴とする照明器具。
【００３１】
この発明によれば、照明光源からの放射する光による光ノイズの影響を受けない赤外線信号の受信経路を構成することができ、かつ複数方向からの赤外線信号を反射によって確実に受光素子に入射することができ、受信感度を確保することができる。
【００３２】
請求項２の発明は、一面に前記光源と当該光源を覆うグローブを配置した光不透過性の材質からなる器具本体の他面側に前記受光素子と前記赤外線伝達手段を配置することを特徴とする請求項１記載の照明器具。
【００３３】
この発明によれば、受光素子と赤外線伝達手段を、外観上から隠れた部分に配置することができるため、照明器具グローブに受光素子の陰影が写ることによるランプイメージの悪化はない。さらに、照明器具本体および照明器具グローブの大きさを光源に対して過度に大きくする必要がなく、照明器具グローブに赤外線を通過させる必要がないため照明器具グローブの形状や材質、デザインへの制約を抑制することができる。
【発明の効果】
【００３４】
以上説明したように、本発明では、赤外線リモコンを操作することによって点灯、消灯などの制御が可能である照明器具において、光源からの光ノイズの影響を排除して、複数方向からの赤外線信号到達性能を確保することができるという効果がある。
【図面の簡単な説明】
【００３５】
【図１】実施形態の照明器具の構成を示す断面図である。
【図２】同上の赤外線反射伝達材の構成を示す斜視図である。
【図３】従来の照明器具の概略的な構成を示す断面図である。
【図４】従来の照明器具の一部破断した断面図である。
【図５】従来の照明器具の受信部部分の断面図である。
【図６】従来の照明器具の分解斜視図である。
【図７】平面らせん形状の蛍光ランプの平面図である。
【発明を実施するための形態】
【００３６】
以下、本発明の実施の形態を図面に基づいて説明する。
【００３７】
（実施形態）
図１に照明器具内の断面を示す。
【００３８】
この照明器具は天井直付け形態の照明器具であり、その構成は、天井に固定される円形の照明器具本体１０１と、照明器具本体１０１の下面に取り付けられる平面らせん形状の蛍光ランプ１０２と、蛍光ランプ１０２を覆うように照明器具本体１０１の下部に取り付けられる光透過性の照明器具グローブ１０３と、赤外線信号の受光素子１０４と、赤外線信号の反射経路となる赤外線反射伝達材１０５からなる。そして、天井面１０６に備え付けられた給電部品１０７により商用電源からの電力の供給を得て、かつ照明器具本体１０１を天井面１０６に保持している。平面らせん形状の蛍光ランプ１０２は図７で示す形状の蛍光ランプである。
【００３９】
ここで、照明器具本体１０１は金属製で光不透過である。照明器具本体１０１内部には蛍光ランプ１０２を高周波点灯させる点灯装置１０８が内蔵されており、器具本体１０１の下面に取り付けられたランプソケット（図示無し）を通じて蛍光ランプ１０２に点灯電力を供給している。さらに、同じく照明器具本体１０１の下面に配置したランプ支持具１０９により蛍光ランプ１０２を器具本体１０１に保持している。また、椀型の照明器具グローブ１０３の開口部の外周は、照明器具本体１０１の外周と略一致する。
【００４０】
受光素子１０４は照明器具本体１０１の上面に配置され、蛍光ランプ１０２は照明器具本体１０１の下面に配置される。すなわち受光素子１０４と蛍光ランプ１０２は光を透過させない照明器具本体１０１を挟んで反対側に配置されている。このため、照明器具の点灯中においても受光素子１０４には蛍光ランプ１０２からの直接光の入射がない位置関係に配置されていると言える。
【００４１】
次に、赤外線信号の反射経路を構成する赤外線反射伝達材１０５を図２に示す。
【００４２】
赤外線信号の反射経路を構成する赤外線反射伝達材１０５は光不透過性の材質でできた断面が矩形状の中空構造の円環状の部品であり、内面は赤外線信号が反射しやすいように表面に塗装処理を施している。これを円形の照明器具本体１０１上面の外周と赤外線反射伝達材１０５の外周とが重なるように配置している。赤外線反射伝達材１０５はその外周側面に１２０度の間隔で３箇所の開口部２０１が形成されており、開口部２０１の上部につば部２０１ａが外側へ突設されている。また、赤外線反射伝達材１０５の内周側面に１箇所の開口部２０２を形成しており、開口部２０２の上方と側方から囲むようにつば部２０２ａが突設されており、この開口部２０２のつば部２０２ａと照明器具本体１０１の上面との間の囲まれた場所に受光素子１０４を配置している。
【００４３】
赤外線反射伝達材１０５の外周側面３箇所の開口部２０１は赤外線リモコン（図示無し）による外部からの赤外線信号を入射する入射部を構成しており、内周側面１箇所の開口部２０２は、開口部２０１より入射した赤外線信号が赤外線反射伝達材１０５内で反射した後に受光素子１０４へ向けて出射する出射部を構成している。
【００４４】
このような構成により、照明器具の外部からユーザーが操作することにより赤外線リモコン（図示無し）から送信された赤外線信号は、器具本体１０１の上面外周に配置されている赤外線反射伝達材１０５の外周側面に設けられた、いずれか１つ以上の開口部２０１から進入し、赤外線反射伝達材１０５内部で反射を繰り返した後、赤外線反射伝達材１０５の内周側面に設けられた開口部２０２を介して受光素子１０４へと到達することが可能になっている。そして、受信した赤外線信号に応じて点灯装置１０８が蛍光ランプ１０２の点灯制御を行う。
【００４５】
そして、受光素子１０４は蛍光ランプ１０２とは他面側の照明器具本体１０１の上面に配置され、光不透過性のつば部２０２ａで囲まれているため、開口部２０１から入射し赤外線反射伝達材１０５を介して開口部２０２から出射する赤外線信号のみを受光する。
【００４６】
また、外周側面３箇所の開口部２０１に蛍光ランプ１０２からの直接光および、照明器具グローブ１０３の内面での反射光が入射されないように、開口部２０１付近の椀型の照明器具グローブ１０３の外周縁には、遮光シート１１０が取り付けられている。
【００４７】
さらに、開口部２０１の上部に突設されたつば部２０１ａにより、赤外線リモコン（図示無し）から赤外線反射伝達材１０５に入射する赤外線信号の入射効率を向上させるとともに、天井面１０６による蛍光ランプ１０２の反射光が開口部２０１へ入射されるのを防いでいる。
【００４８】
このような構成により、受光素子１０４および開口部２０１に蛍光ランプ１０２による光ノイズが入射されず、赤外線リモコン（図示無し）から送信された赤外線信号のみが開口部２０１に入射され、赤外線反射伝達材１０５内で反射を繰り返した後、開口部２０２を介して受光素子１０４へ到達するため、蛍光ランプ１０２の光ノイズの影響を受けることなく受信感度が確保され、点灯装置１０８の誤動作や不動作を防止している。
【００４９】
また、赤外線反射伝達材１０５の外周側面の開口部２０１を１２０度間隔で３箇所設けることにより、全方向からの赤外線信号に対応することが可能となっている。
【００５０】
また、受光素子１０４と赤外線反射伝達材１０５を、照明器具本体１０１の上面という下方から見た場合に外観上から隠れた部分に配置されているので、照明器具グローブ１０３に受光素子１０４や赤外線反射伝達材１０５の陰影が写ることによるランプイメージの悪化がない。さらには、照明器具本体１０１および照明器具グローブ１０３の大きさを蛍光ランプ１０２に対して過度に大きくする必要がない。さらに、照明器具グローブ１０３に赤外線を通過させる必要がないため、照明器具グローブ１０３の形状や材質、デザインの自由度が向上する。
【００５１】
なお、開口部２０１には、上部から突出したつば部２０１ａを設けるとともに、開口部２０１の側部からもつば部（図示無し）を外側へ突設してもよい。
【符号の説明】
【００５２】
１０１    照明器具本体
１０２    蛍光ランプ
１０３    照明器具グローブ
１０４    受光素子
１０５    赤外線反射伝達材
１０６    天井面
１０７    給電部品
１０８    点灯装置
１０９    ランプ支持具
１１０    遮光シート
２０１    開口部（入射部）
２０１ａ  開口部２０１のつば部
２０２    開口部（出射部）
２０２ａ  開口部２０２のつば部
【図１】
2010165562.tif 000003
【図２】
2010165562.tif 000004
【図３】
2010165562.tif 000005
【図４】
2010165562.tif 000006
【図５】
2010165562.tif 000007
【図６】
2010165562.tif 000008
【図７】
2010165562.tif 000009